(57)【要約】【課題】ユーザの位置の移動に基づいて自動的に課金する課金サービスシステムを提供することにある。【解決手段】ＧＰＳを使用して自身の位置情報を取得する携帯端末と、イベントに関連づけられた位置範囲と該イベントに関連づけられた時間帯とを少なくとも有する情報を記憶する記憶装置と、前記携帯端末と通信する管理サーバ装置とを有する課金サービスシステムであって、前記管理サーバ装置は、前記携帯端末から送信された前記位置情報を受信するとともに、前記記憶装置から前記位置範囲および時間帯を取り出し、前記位置情報と位置範囲と時間帯とに少なくとも基づいて、前記端末装置が前記イベントに入場および退場したことに関する状態を判断して、前記状態を示す情報を前記記憶装置に記憶させ、前記状態を示す情報に基づいて課金処理を行う。【選択図】図１
2008242905.tif 000002
【特許請求の範囲】
【請求項１】
ＧＰＳを使用して自身の位置情報を取得する携帯端末と、
イベントに関連づけられた位置範囲を示す情報を少なくとも有する情報を記憶する記憶装置と、
前記携帯端末と通信する管理サーバ装置とを有する課金サービスシステムであって、
前記管理サーバ装置は、
前記携帯端末から送信された前記位置情報を受信するとともに、前記記憶装置から前記位置範囲を示す情報を取り出し、
前記位置情報と位置範囲を示す情報とに少なくとも基づいて、前記端末装置が前記イベントに入場および退場したことに関する状態を判断して、前記状態を示す情報を前記記憶装置に記憶させ、
前記状態を示す情報に基づいて課金処理を行うものであることを特徴とする課金サービスシステム。
【請求項２】
前記記憶装置は、前記イベントに関連づけられた時間帯を示す情報をさらに記憶するものであり、
前記管理サーバ装置における前記課金処理において、前記イベントを示す情報と、前記時間帯を示す情報と、前記状態を示す情報のなかの入場時間および退場時間とに基づいて、課金を割り引く割引処理を行うものであることを特徴とする請求項１に記載の課金サービスシステム。
【発明の詳細な説明】
【技術分野】
【０００１】
本発明は、ユーザの行動に対応して自動的に課金する課金サービスシステムに関するものである。より具体的には本発明は、例えば、サッカー、野球、陸上競技、コンサートなどの各種イベントが行われる競技場などの会場に、ユーザが入場および退場したことなどに基づいて自動的に課金する課金サービスシステムに関するものである。
【背景技術】
【０００２】
近年、コンビニエンスストアなどでの料金の支払いを携帯電話で行うシステムが開発されている。一方、例えば、プロ・サッカーの試合を観戦するには、入場券を購入して、その入場券を競技場の入場ゲートで係員に提示して、係員に入場券の半券を切り取ってもらってから入場する必要がある。
【発明の開示】
【発明が解決しようとする課題】
【０００３】
上記のような従来の入場方法では、入場に時間がかかり、スムーズに入場できないという問題点がある。また、従来の入場方法では、多数の入場ゲートのそれぞれに多数の係員を配置しなければならす、プロ・サッカーの試合などのイベントの運営コストを増加させるという問題点もある。さらにまた、従来の入場方法では、競技場などのイベント会場への各ユーザの入場時間および退場時間を把握することができず、前記入場時間および退場時間に基づいた割引サービスなどのきめ細かい各種サービスができないという問題点もある。
【０００４】
本発明は、上記問題点を解決すべくなされたもので、その目的は、ユーザの位置の移動に基づいて自動的に課金する課金サービスシステムを提供することにある。
【０００５】
また、本発明の目的は、イベント会場などへのユーザの入場時間および退場時間をユーザの位置に基づいて把握して課金する課金サービスシステムを提供することにある。
【０００６】
また、本発明の目的は、イベント会場などへのユーザの入場時間および退場時間をユーザの位置に基づいて把握して、割引サービスなどのきめ細かい各種サービスができる課金サービスシステムを提供することにある。
【課題を解決するための手段】
【０００７】
上記問題点を解決するために、本発明は、ＧＰＳを使用して自身の位置情報を取得する携帯端末と、イベントに関連づけられた位置範囲を示す情報を少なくとも有する情報を記憶する記憶装置と、前記携帯端末と通信する管理サーバ装置とを有する課金サービスシステムであって、前記管理サーバ装置は、前記携帯端末から送信された前記位置情報を受信するとともに、前記記憶装置から前記位置範囲を示す情報を取り出し、前記位置情報と位置範囲を示す情報とに少なくとも基づいて、前記端末装置が前記イベントに入場および退場したことに関する状態を判断して、前記状態を示す情報を前記記憶装置に記憶させ、前記状態を示す情報に基づいて課金処理を行うものであることを特徴とする。
【０００８】
また、本発明は、上記に記載の発明において、前記記憶装置は、前記イベントに関連づけられた時間帯を示す情報をさらに記憶するものであり、前記管理サーバ装置における前記課金処理において、前記イベントを示す情報と、前記時間帯を示す情報と、前記状態を示す情報のなかの入場時間および退場時間とに基づいて、課金を割り引く割引処理を行うものであることを特徴とする。
【発明の効果】
【０００９】
本発明によれば、ユーザに携帯されている携帯端末は、ＧＰＳを使用してユーザの位置を位置情報として取得することができる。管理サーバ装置は、携帯端末から送信された位置情報を受信してユーザの位置を位置情報としてリアルタイムに把握することができる。記憶装置は、例えば、競技場などのイベント会場の範囲内をイベントに関連づけられた位置範囲として記憶し、競技の開催時間など該イベントに関連づけられた時間帯として記憶している。管理サーバ装置は、記憶装置から前記位置範囲および時間帯を取り出して、ユーザの前記位置情報と比較することなどで、ユーザがイベント会場に入場したこと、退場したこと、その入退場時間、ゲート位置などを、入場および退場したことに関する状態として、判断して記憶させることができる。そこで、管理サーバ装置は、入場および退場したことに関する状態に基づいて、イベント会場へユーザの入場などに対する課金処理をすることができる。
【００１０】
したがって本発明は、イベント会場などへのユーザの入場時間および退場時間をユーザの位置に基づいて把握して課金する課金サービスシステムを提供することができる。そこで、本発明によれば、入場ゲートなどで係員が入場券を確認する作業を無くすることができ、ユーザの入場ゲートの通過をスムーズにすることができる。
【００１１】
また、本発明は、イベント会場などへのユーザの入場時間および退場時間をユーザの位置に基づいて把握して、割引サービスなどのきめ細かい各種サービスができる課金サービスシステムを提供することができる。例えば、本発明は、イベントの途中で退場したユーザに対して、割引課金をすることができる。また、本発明によれば、入場時間および退場時間に基づいて、イベントに対するユーザの満足度などを推定することもできる。また、本発明によれば、紙のチケットを発行する必要がなく、雨天順延などイベント開催時間が変更しても、チケットを紙で再発行するなどの必要がない。また、本発明によれば、管理サーバ装置が課金情報をメールで携帯端末に送信することもでき、税務処理、会計処理などを簡易化することができる。
【発明を実施するための最良の形態】
【００１２】
以下、本発明の実施形態を図面を参照して説明する。
【００１３】
図１は、本発明の実施形態による課金サービスシステムを示す概要ブロック図である。本課金サービスシステムは、携帯端末の一例である携帯電話１０と、ＧＰＳ衛星２０と、管理サーバ装置３０と、記憶装置の一例であるデータベース４０とを有している。
【００１４】
携帯電話１０は、少なくとも無線通信を使用して電話通話することができるものであり、本課金サービスシステムのユーザに携帯されるものとする。ここで、携帯電話１０は携帯端末の一例であり、ＰＤＡ(Personal Digital Assistant)、携帯パーソナルコンピュータなどを携帯電話１０の代わりに使用してもよい。        
【００１５】
ＧＰＳ衛星２０は、全地球測位システム（Global Positioning System）の人工衛星である。携帯電話１０は、ＧＰＳ衛星２０からの電波をもとに、自分のいる場所を示す位置情報を（例えば数メートルの精度で）取得することができる。
【００１６】
管理サーバ装置３０は、携帯電話１０と通信することができるとともに、データベース４０に対してデータを出し入れすることができる。管理サーバ装置３０は、例えば通信機能を有するコンピュータなどで構成することができる。管理サーバ装置３０は、携帯電話１０と逐次通信することで、携帯電話１０の位置をリアルタイムに逐次把握することができる。また、管理サーバ装置３０は、データベース４０に記憶されているデータに基づいて、携帯電話１０がイベント会場などの所定の位置範囲に所定の時間帯に入場したかなどを判断することができる。
【００１７】
データベース４０は、サッカー、野球、陸上競技、コンサートなどのイベントの開催場所である位置範囲と該イベントの開催時間を示す時間帯とを少なくとも有する情報を記憶する記憶装置である。前記開催場所の一例が図１の競技場である。前記位置範囲としては、例えば、図１の競技場内の区域とすることができる。また、前記位置範囲としては、例えば、入場を許可されたものがその競技場の入場ゲートを通り抜けて退場ゲートから退場するまで移動できる範囲としてもよい。また、前記位置範囲は、図１の競技場などの厳密な設置範囲と数メートル程度の誤差があってもよい。
【００１８】
図３、図４および図５は、データベース４０に記憶される情報の一例を示す図である。図３は、登録ユーザテーブルの一例を示している。登録ユーザテーブルは、各携帯電話１０の各ユーザに対する課金を示す情報であって、ユーザＩＤ（UserID）と、Ｅメール（E-mail）と、課金情報等とに項目分けされた情報である。ここで、ユーザＩＤは、各携帯電話１０の各ユーザを識別するＩＤである。Ｅメールは、各携帯電話１０の各ユーザのＥメール・アドレスであり、各ユーザＩＤに対応づけられている。課金情報等は、携帯電話１０のユーザが図１の競技場１００などのイベント会場に入場したことなどに対応して課金された金額を示す情報である。
【００１９】
図４は、イベントテーブルの一例を示している。イベントテーブルは、サッカー、野球、陸上競技、コンサートなどの各イベントそれぞれの開催日時および場所を特定する情報である。イベントテーブルは、日付（日）と、時間帯（開始時〜終了時）と、場所と、範囲データとに項目分けされた情報である。ここで、日付は、イベントが開催される月日を示している。時間帯は、イベントの開始時間と終了時間とを示している。場所は、イベントの開催場所を示しており、例えば図１の競技場１００の名称である。範囲データは、イベントの開催場所を領域的に特定するデータにひも付けられたデータである。
【００２０】
図５は、トレーステーブルの一例を示している。トレーステーブルは、携帯電話１０を携帯したユーザのイベント会場への入場時間および退場時間を示す情報である。ここで、入場時間および退場時間は、図３の説明で述べたユーザＩＤにひも付けられている。また、入場時間および退場時間は、管理サーバ装置３０によって判断されてデータベース４０に記憶されたデータである。
【００２１】
データベース４０に記憶される情報は、図３、図４および図５に示す情報に限られない。例えば、データベース４０は、イベントの時間帯と入場時間および退場時間とに応じた複数段階の割り引き率などの情報を記憶していてもよい。例えば、イベントの開催途中で退場したユーザの課金を割り引き、イベント終了後に退場したユーザの課金を割り引かないこととしてもよい。逆に、イベントの開催途中で退場したユーザの課金を割り引かず、イベント終了後に退場したユーザの課金を割り引くこととして、途中退場者の抑制を図ることとしてもよい。また、イベントの開始時よりも十分に早く入場したユーザの課金を割り引き、イベントの開始時まぎわに入場したユーザの課金を割り引かないこととして、入場時間の分散化を図ることとしてもよい。
【００２２】
図２は、本発明の実施形態による課金サービスシステムの動作を示すフローチャートである。
先ず、携帯電話１０のユーザは、管理サーバ装置３０が管理するイベントに入場する権利を予め取得する。この入場権利の取得は、プレイガイドなどの店頭で行ってもよく、ユーザが携帯電話１０を操作して、インターネットなどを介して管理サーバ装置３０から入場権利を示すデータを取得することとしてもよい。前記入場権利に関する情報は、データベース４０に登録される。
【００２３】
携帯電話１０は、課金アプリ（アプリケーション・ソフトウェア）を起動する（ステップＳ１）。
この課金アプリの起動は、例えば管理サーバ装置３０が携帯電話１０に所定の起動信号を送信することで実行してもよい。例えば管理サーバ装置３０は、データベース４０に登録されている図４のイベントテーブルおよび前記入場権利に関する情報に基づいて、イベントの開始時の所定時間前に、前記起動信号を携帯電話１０に送信することとしてもよい。また課金アプリの起動は、ユーザが携帯電話１０を操作することでおこなってもよい。また課金アプリの起動は、イベント会場のゲートを携帯電話１０が通過したことを何らかの手段で検出して、この検出に応じて起動することとしてもよい。イベント会場の入場ゲートでは、係員が携帯電話１０で課金アプリが起動していることを確認することとしてもよい。なお、課金アプリは、管理サーバ装置３０に記憶されていることとしてもよく、携帯電話１０に記憶されていることとしてもよい。課金アプリの起動により、携帯電話１０は、ＧＰＳ衛星２０を使用して自身の位置を示す位置データ（位置情報）を逐次取得する動作を開始する。
【００２４】
次いで、携帯電話１０は、取得した位置データを管理サーバ装置３０に送信する（ステップＳ２）。
携帯電話１０による前記位置データの取得および送信は、例えば１秒から１０分までの間の所定時間の間隔で逐次行われる。
【００２５】
次いで、管理サーバ装置３０は、携帯電話１０から受信した位置データと、該位置データの送信時間と、データベース４０のイベントテーブル（図４参照）に登録されているイベントの日付、時間帯および範囲データとなどに基づいて、所定のイベント会場へのユーザの入場時間を判断して、これを図５のトレーステーブルに登録する（ステップＳ３）。
【００２６】
すなわち、管理サーバ装置３０は、受信した位置データはイベントテーブルの範囲データ内に当てはまるレコードを検索し、日付および時間帯に該当するデータがあった場合、位置データ送信時間を入場時間としてその識別番号とともに図５のトレーステーブルに登録する。
【００２７】
次いで、管理サーバ装置３０は、図４のイベントテーブルの終了時＋αの時間まで携帯電話１０のアプリを待機させる信号を携帯電話１０に送信する（ステップＳ４）。
【００２８】
次いで、携帯電話１０は、定期的にＧＰＳポーリングを行い、位置データを管理サーバ装置３０に送信する（ステップＳ５）。
このステップＳ５は、前記ステップＳ１からまたはその前から、本システムの動作の終了まで連続的に行われていることとしてもよい。また、ＧＰＳポーリングの間隔は、例えば１秒から１０分までの間としてもよく、その間隔が変化するものとしてもよい。
【００２９】
次いで、管理サーバ装置３０は、受信した位置データとイベントテーブルの範囲データが示す所定範囲とを比較して、その位置データが所定範囲から抜けた時を退場時間として、図５のトレーステーブルに登録する（ステップＳ６）。
【００３０】
次いで、管理サーバ装置３０は、トレーステーブルに登録した入場時間および退場時間と、イベントテーブルの開始時および終了時となどに基づいて、課金情報および課金を割り引く情報などを作成して、図３の登録ユーザテーブルに登録する（ステップＳ７）。
【００３１】
すなわち、所定のイベント会場に所定の時間帯にいたことに応じた課金処理だけでなく、入場時間および／または退場時間あるいは滞在時間に応じた課金割引処理などを行うことができる。
【００３２】
その後、管理サーバ装置３０は、登録ユーザテーブルの情報に基づいて、課金情報などの課金結果を電子メールで携帯電話１０に送信する（ステップＳ８）。
管理サーバ装置３０は、登録ユーザテーブルの情報に基づいて、ユーザの銀行口座から前記課金を引き落とす処理を実行することとしてもよい。
【００３３】
前記実施形態では、管理サーバ装置３０が携帯電話１０の入退場状態などを判断することとしたが、携帯電話１０が入退場状態を判断することとしてもよい。また、データベース４０に記憶されるデータの一部または全部が携帯電話１０の記憶装置に記憶されることとしてもよい。
【００３４】
また、図２に示す各ステップを実現するためのプログラムをコンピュータ読み取り可能な記録媒体に記録して、また、管理サーバ装置３０の機能を実現するためのプログラムをコンピュータ読み取り可能な記録媒体に記録して、この記録媒体に記録されたプログラムをコンピュータシステムに読み込ませ、実行することにより、本発明の実施形態による課金サービスシステムを実現してもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００３５】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３６】
【図１】本発明の実施形態による課金サービスシステムの概要ブロック図である。
【図２】本発明の実施形態による課金サービスシステムの動作を示すフローチャートである。
【図３】登録ユーザテーブルの一例を示す図である。
【図４】イベントテーブルの一例を示す図である。
【図５】トレーステーブルの一例を示す図である。
【符号の説明】
【００３７】
１０  携帯電話
２０  ＧＰＳ衛星
３０  管理サーバ装置
４０  データベース
１００  競技場
【図１】
2008242905.tif 000003
【図２】
2008242905.tif 000004
【図３】
2008242905.tif 000005
【図４】
2008242905.tif 000006
【図５】
2008242905.tif 000007